(57)【特許請求の範囲】
【請求項１】
乳幼児を担ぐ者の両肩にそれぞれ掛け渡されるベルトであって、下端で相互に結合し、前記下端から上方に向けて分岐して延び左上端および右上端において相互に離隔する肩ベルトと、
乳幼児の胴部を収容するための空間を形成し、乳幼児の両肩部のうちの一方を支持する左上側部が前記肩ベルトの左上端と分離可能に連結し、乳幼児の両肩部のうちの他方を支持する右上側部が前記肩ベルトの右上端と分離可能に連結し、乳幼児の足股部を支持する下端部が前記肩ベルトの下端と分離可能に連結する子守帯本体とを備える、子守帯。
【請求項２】
前記子守帯本体の下端部と、前記肩ベルトの下端は、二重に連結される、請求項１に記載の子守帯。
【請求項３】
前記肩ベルトは、前記下端から上方に向けて分岐して延びるベルトの開き幅を、前記肩ベルトの下端部において所定の幅に保持するベルト保持材を有する、請求項１または２に記載の子守帯。
【請求項４】
前記子守帯本体と前記肩ベルトは、雄部材と、前記雄部材を受け入れる雌部材とを有するバックルによって分離可能に連結され、
これら雄部材および雌部材のうち、前記肩ベルトには一方のみが取着され、前記子守帯本体には他方のみが取着される、請求項１〜３のいずれかに記載の子守帯。
【請求項５】
前記子守帯本体の左上側部と前記肩ベルトの左上端との連結部分と、前記子守帯本体の右上側部と前記肩ベルトの右上端との連結部分と、前記子守帯本体の下端部と前記肩ベルトの下端との連結部分とが、３種類の色彩または標識をそれぞれ付され、これら３箇所の連結部分が互いに識別可能とされる、請求項１〜４のいずれかに記載の子守帯。
【請求項６】
前記下端から上方に向けて左右に分岐する前記肩ベルトは、左右一対であって、当該分岐下端部の左側から前記左上端まで延びる左ベルトと、前記分岐下端部の右側から前記右上端まで延びる右ベルトとを有する、請求項１〜５のいずれかに記載の子守帯。
【請求項７】
前記肩ベルトは、左端が前記左ベルトの延在方向にスライド可能に前記左ベルトに取り付けられ、右端が前記右ベルトの延在方向にスライド可能に前記右ベルトに取り付けられるブリッジベルトをさらに有する、請求項６に記載の子守帯。
【請求項８】
前記下端から上方に向けて左右に分岐する前記肩ベルトは、当該分岐下端部の右側から前記左上端まで延びる第一肩ベルトと、前記分岐下端部の左側から前記右上端まで延び、延在方向中央領域で前記第一肩ベルトの延在方向中央領域と交差する第二肩ベルトとを有する、請求項１〜５のいずれかに記載の子守帯。
【請求項９】
前記第一肩ベルトと前記第二肩ベルトは、前記交差箇所で相対回動可能に連結する、請求項８に記載の子守帯。
【請求項１０】
前記肩ベルトは、前記交差箇所を含むように前記第一肩ベルトと前記第二肩ベルトとを一体的に覆うＸ字状の肩ベルトカバーをさらに有する、請求項８または９に記載の子守帯。
【請求項１１】
前記肩ベルトは、延在方向に伸縮可能であって、前記交差箇所の直上または直下において前記第一肩ベルトと前記第二肩ベルトとの間を左右方向に延在するように前記肩ベルトに取り付けられた弾性帯体をさらに有し、
前記弾性帯体によって、前記交差箇所における前記第一肩ベルトと前記第二肩ベルトとの間の交差角度が適宜に規定される、請求項８〜１０のいずれかに記載の子守帯。
【請求項１２】
前記肩ベルトは、前記担ぐ者の左右の肩と当接する領域において、屈曲可能であって、前記担ぐ者の左右の肩の背部側から胸部側に沿ってＵ字状に保形する芯材をさらに有する、請求項１〜１１のいずれかに記載の子守帯。
【請求項１３】
前記子守帯本体は、前記左上側部および右上側部を含む背当て部と、前記背当て部の下方に連なる股当て部と、前記股当て部の下方に連なる前当て部とによって構成される布材からなり、
前記前当て部を折り返し、前記前当て部の両側部と、前記背当て部とを連結することによって前記背当て部と前記前当て部との間に乳幼児を収容する空間を形成する、請求項１〜１２のいずれかに記載の子守帯。
【請求項１４】
前記子守帯本体は、前記股当て部および／または前記前当て部において、所定の弾性を備える芯材を有する、請求項１３に記載の子守帯。
【発明の詳細な説明】
【技術分野】
【０００１】
本発明は、子守帯に関するものであり、特に、子守帯本体と、子守帯本体から完全に分離可能である肩ベルトとから構成される子守帯に関する。
【背景技術】
【０００２】
乳幼児を外出させる場合、乳幼児を安全に保持し運搬するために、子守帯が広く用いられている。一般的な子守帯は、乳幼児を保持する子守帯本体と、子守帯本体に連結され、子守帯を用いて乳幼児を担ぐときに担ぐ者の両肩に掛け渡される肩ベルトとを備える。このような子守帯において、子守帯本体と肩ベルトとが完全に分離可能である子守帯としては従来、特開平９−１９３４７号公報（特許文献１）に記載されるものが知られている。
【０００３】
図２０は、特許文献１に記載される従来の子守帯の分解図を示す。特許文献１に記載の子守帯１０１は、子守帯本体１０２と、子守帯本体１０２に連結する肩ベルト１０３とを備える。肩ベルト１０３は、担ぐ者の背面で交差している。交差部から上方に延びた肩ベルト１０３は、担ぐ者の両肩から前方に回り、左右に分かれて下腹部付近まで延びている。左右に分かれた肩ベルト１０３は、それぞれ担ぐ者の下腹部付近において折り返され、担ぐ者の両腰から後方へ回り、交差部へと延びている。
【０００４】
肩ベルト１０３は、前方の両肩部付近において左右の留め具１０７を有している。また、肩ベルト１０３は、前方の下腹部付近に位置する左右の折り返し部において、それぞれ雄バックル１０５を有する。子守帯本体１０２は、上方両側部に留め具１０６を有する。そして、肩ベルト１０３に設けられた留め具１０７と、留め具１０６とが、連結される。また、子守帯本体１０２は、下端部において、二つの挿入口が設けられた雌バックル１０４を有する。そして、左右の雄バックル１０５が雌バックル１０４の挿入口にそれぞれ挿入されることによって、肩ベルト１０３が、子守帯本体１０２に連結される。
【０００５】
このように構成することによって、乳幼児を抱き上げる場合、または乳幼児を降ろす場合に、簡単な操作によって子守帯本体１０２と肩ベルト１０３との着脱を行えるため、利便性に優れるとしている。
【先行技術文献】
【特許文献】
【０００６】
【特許文献１】特開平９−１９３４７号公報
【発明の概要】
【発明が解決しようとする課題】
【０００７】
しかしながら、特許文献１に記載の子守帯は、子守帯本体に肩ベルトを装着させる場合の操作性に関して、以下の課題があった。すなわち、特許文献１に記載の子守帯１０１においては、前述のように、肩ベルト１０３が、担ぐ者の前方において左右に分かれている。そして、雄バックル１０５が、左ベルトおよび右ベルトの折り返し部にそれぞれ個別に設けられている。したがって、雄バックル１０５と雌バックル１０４とを連結させる作業において、担ぐ者は、右ベルトおよび左ベルトをそれぞれ個別に手繰り寄せてから連結作業を行わなければならない。このことが、子守帯本体１０２と肩ベルト１０３との連結作業を煩雑にする原因となっていた。
【０００８】
本発明の目的は、子守帯本体と肩ベルトとが完全に分離可能な子守帯であって、子守帯本体に肩ベルトを装着する作業をより容易とする子守帯を提供することである。
【課題を解決するための手段】
【０００９】
本発明に係る子守帯は、乳幼児を担ぐ者の両肩にそれぞれ掛け渡されるベルトであって、下端で相互に結合し、下端から上方に向けて分岐して延び左上端および右上端において相互に離隔する肩ベルトと、乳幼児の胴部を収容するための空間を形成し、乳幼児の両肩部のうちの一方を支持する左上側部が肩ベルトの左上端と分離可能に連結し、乳幼児の両肩部のうちの他方を支持する右上側部が肩ベルトの右上端と分離可能に連結し、乳幼児の足股部を支持する下端部が肩ベルトの下端と分離可能に連結する子守帯本体とを備える。
【００１０】
これにより、肩ベルトは、下端において相互に結合されているため、左右のベルトが、下端において分離しない。したがって、担ぐ者は、子守帯本体の下端部に肩ベルトの下端を連結する場合において、肩ベルトを取り扱い易くなるため、子守帯本体と肩ベルトとの連結作業を、より容易且つ迅速に行えるようになる。
【００１１】
好ましくは、子守帯本体の下端部と、肩ベルトの下端は、二重に連結される。これにより、子守帯本体の下端部において、一方の連結が誤動作によって解除された場合または破断した場合においても、残る他方の連結によって乳幼児が脱落することを防ぐ。
【００１２】
さらに好ましくは、肩ベルトは、下端から上方に向けて分岐して延びるベルトの開き幅を、肩ベルトの下端部において所定の幅に保持するベルト保持材を有する。これにより、子守帯の使用時において、乳幼児の体重による負荷が、保持される乳幼児の足股部に集中することを防ぐことができる。したがって、使用時における乳幼児の快適性を向上させることができる。また、子守帯を縦抱きの形態で使用している場合において、保持された乳幼児が左右に揺れることによって生じる子守帯本体の左右方向への動きを効果的に抑えることができる。
【００１３】
さらに好ましくは、子守帯本体と肩ベルトは、雄部材と、雄部材を受け入れる雌部材とを有するバックルによって分離可能に連結される。そして、これら雄部材および雌部材のうち、肩ベルトには一方のみが取着され、子守帯本体には他方のみが取着される。これにより、肩ベルトを子守帯本体に取り付ける場合において、取り付け方法を統一させることができる。したがって、肩ベルトを子守帯本体に取り付ける作業をさらに容易とすることができる。
【００１４】
さらに好ましくは、子守帯本体の左上側部と肩ベルトの左上端との連結部分と、子守帯本体の右上側部と肩ベルトの右上端との連結部分と、子守帯本体の下端部と肩ベルトの下端との連結部分とが、３種類の色彩または標識をそれぞれ付される。そして、これら３箇所の連結部分が、互いに識別可能とされる。これにより、肩ベルトを子守帯本体に取り付ける際に、担ぐ者は、一対となる連結部分を色彩または標識によって瞬時に識別することができる。したがって、肩ベルトを子守帯本体に取り付ける作業をさらに容易とすることができる。
【００１５】
さらに好ましくは、下端から上方に向けて左右に分岐する肩ベルトは、左右一対であって、当該分岐下端部の左側から左上端まで延びる左ベルトと、分岐下端部の右側から右上端まで延びる右ベルトとを有する。これにより、肩ベルトは、単純なＶ字形状を形成することとなる。したがって、担ぐ者が、肩ベルトと子守帯本体との取り付け作業をさらに容易に理解することができる。
【００１６】
さらに好ましくは、肩ベルトは、左端が左ベルトの延在方向にスライド可能に左ベルトに取り付けられ、右端が右ベルトの延在方向にスライド可能に右ベルトに取り付けられるブリッジベルトをさらに有する。これにより、子守帯の使用時において、肩ベルトが担ぐ者の肩から摺り落ちることを防止することができる。さらに、両肩から子守帯を降ろす場合において、担ぐ者は、片手による簡単な操作でブリッジベルトの連結を解除することができる。
【００１７】
さらに好ましくは、下端から上方に向けて左右に分岐する肩ベルトは、当該分岐下端部の右側から左上端まで延びる第一肩ベルトと、分岐下端部の左側から右上端まで延び、延在方向中央領域で第一肩ベルトの延在方向中央領域と交差する第二肩ベルトとを有する。これにより、肩ベルトは、担ぐ者の背部で交差する。したがって、別部材を必要とせずに、使用時において肩ベルトが担ぐ者の肩から摺り落ちることを防止することができる。また、肩ベルトの下端のみならず、中央領域の交差部においても、左右のベルトが結合し連動するため、取り扱いが便利である。
【００１８】
さらに好ましくは、第一肩ベルトと第二肩ベルトは、交差箇所で相対回動可能に連結する。これにより、担ぐ者の体型や動きに対して適合するように、肩ベルトがより柔軟に変形することを可能とする。
【００１９】
さらに好ましくは、肩ベルトは、交差箇所を含むように第一肩ベルトと第二肩ベルトとを一体的に覆うＸ字状の肩ベルトカバーをさらに有する。これにより、肩ベルトは、下端のみならず担ぐ者の背部においても一体的に結合されるため、第一肩ベルトと第二肩ベルトとが、連動することとなる。したがって、肩ベルトを装着する場合において、第一肩ベルトおよび第二肩ベルトのいずれか一方を担ぐ者の肩まで引き上げると、他方も同時に担ぐ者の肩近辺にまで引き上げられることとなる。これにより、肩ベルトを装着する作業が、容易となる。また、第一肩ベルトおよび第二肩ベルトのいずれか一方が、担ぐ者の肩から摺り落ちようとした場合においても、残る他方が肩に掛止されている限り、肩から完全に脱落することを防ぐことができる。さらに、子守帯を横抱きの形態として用いる場合において肩ベルトを担ぐ者の首に掛け渡したときに、肩ベルトカバーによって担ぐ者の首が保護されるため、担ぐ者は、幼児を横抱きの形態で快適に保持することができる。
【００２０】
さらに好ましくは、肩ベルトは、延在方向に伸縮可能であって、交差箇所の直上または直下において第一肩ベルトと第二肩ベルトとの間を左右方向に延在するように肩ベルトに取り付けられた弾性帯体をさらに有する。この弾性帯体によって、交差箇所における第一肩ベルトと第二肩ベルトとの間の交差角度が適宜に規定される。これにより、肩ベルトを担ぐ者の体型や動きに対してより効果的に適合させることが可能となる。
【００２１】
さらに好ましくは、肩ベルトは、担ぐ者の左右の肩と当接する領域において、屈曲可能であって、担ぐ者の左右の肩の背部側から胸部側に沿ってＵ字状に保形する芯材をさらに有する。これにより、使用状態の子守帯から子守帯本体を取り外した場合において、担ぐ者の左右の肩に掛け渡された肩ベルトが、担ぐ者の肩の背部側から胸部側に沿うようにＵ字状に屈曲して保形されるため、担ぐ者の肩に掛止されることとなる。したがって、肩ベルトが、担ぐ者の肩から誤って摺り落ちることを防止することができる。
【００２２】
さらに好ましくは、子守帯本体は、左上側部および右上側部を含む背当て部と、背当て部の下方に連なる股当て部と、股当て部の下方に連なる前当て部とによって構成される布材からなる。そして、前当て部を折り返し、前当て部の両側部と、背当て部とを連結することによって背当て部と前当て部との間に乳幼児を収容する空間を形成する。これにより、担ぐ者は、乳幼児の下腹部全体を子守帯本体によって包み、乳幼児を保持することができる。したがって、乳幼児を保持するときの安定性や、乳幼児の快適性が向上する。
【００２３】
さらに好ましくは、股当て部および／または前当て部において、所定の弾性を備える芯材を有する。これにより、乳幼児の足股または腹にかかる負荷を軽減させ、乳幼児の快適性を向上させることができる。
【発明の効果】
【００２４】
本発明によれば、肩ベルトは、肩ベルトの下端において相互に結合されているため、左右のベルトが、下端において分離しない。したがって、担ぐ者は、子守帯本体の下端部に肩ベルトの下端を連結する場合において、肩ベルトを取り扱い易くなるため、子守帯本体と肩ベルトとの連結作業を、より容易且つ迅速に行えるようになる。
【図面の簡単な説明】
【００２５】
【図１】本発明の一実施形態に係る子守帯を前面側から見た外観図である。
【図２】本発明の一実施形態に係る子守帯に用いられる肩ベルトを前面側からみた外観図である。
【図３】図２に示したブリッジベルトの連結を解除した状態を示す拡大図である。
【図４】本発明の一実施形態に係る子守帯に用いられる子守帯本体およびヘッドサポート部を前面から見た外観図である。
【図５】本発明の一実施形態に係る子守帯本体を前面側から見た外観図である。
【図６】図１に示す子守帯本体を後面側から見た外観図である。
【図７】図５中に示した本体右腕部を矢印VIIの方向から見て拡大した拡大斜視図である。
【図８】図６中に示した雌バックルを矢印VIIIの方向から見て拡大した拡大図である。
【図９】図１に示す子守帯本体の使用時における状態を示す外観図である。
【図１０】本発明の一実施形態に係るヘッドサポート部を前面側から見た外観図である。
【図１１】本発明の一実施形態に係る子守帯に乳幼児を包んだ状態を前面から見た外観図である。
【図１２】本発明の一実施形態に係る子守帯を乳母車に装着した状態を示す外観図である。
【図１３】発明の他の実施形態に係る子守帯を前面側から見た外観図である。
【図１４】本発明の他の実施形態に係る子守帯に用いられる肩ベルトを示す図であり、（ａ）は、肩ベルトを前面側からみた外観図を示し、（ｂ）は、（ａ）に示す肩ベルトを後面側からみて一部を拡大した拡大図を示す。
【図１５】本発明の他の実施形態に係る子守帯の使用状態を示す後方斜視図である。
【図１６】本発明のさらに他の実施形態に係る子守帯を前面側から見た外観図である。
【図１７】本発明のさらに他の実施形態に係る子守帯に用いられる肩ベルトを前面側からみた外観図である。
【図１８】本発明のさらに他の実施形態に係る子守帯の使用状態を示す後方斜視図である。
【図１９】図１８に示す状態の子守帯から子守帯本体およびヘッドサポート部に包まれた乳幼児を取り外した状態を示す後方斜視図である。
【図２０】従来の子守帯の分解図を示す。
【発明を実施するための形態】
【００２６】
以下、本発明の実施の形態を図面に基づき詳細に説明する。図１は、本発明の一実施形態に係る子守帯１１を前面側から見た外観図である。なお、以下の説明において、左右方向は、図１を基準とする。
【００２７】
図１を参照して、子守帯１１は、乳幼児を担ぐ者の両肩にそれぞれ掛け渡される肩ベルト１２と、乳幼児の胴部を収容して支える子守帯本体３１と、子守帯本体３１の上方に着脱可能に連結され、使用時に乳幼児の頭部を覆うヘッドサポート部１４とを備える。肩ベルト１２は、子守帯本体３１の左上端および右上端において、それぞれ分離可能に連結されている。また、肩ベルト１２は、子守帯本体３１の下端部において、分離可能に連結されている。
【００２８】
図２は、本発明の一実施形態に係る子守帯１１に用いられる肩ベルト１２を前面側からみた外観図である。図２を参照して、肩ベルト１２は、左右一対のベルトであって、下端から上方に分岐する。より詳しくは、当該分岐下端部の左側から左上方へ向けて延びる左ベルト１５と、分岐下端部の右側から右上方へ向けて延びる右ベルト１６とを有する。
【００２９】
左ベルト１５は、上方に位置し担ぐ者の左肩に掛け渡される第一帯体１７と、第一帯体１７の下端部に長さ調整可能に連結されている第二帯体１８とから構成されている。第一帯体１７は、使用時において、担ぐ者の左肩に掛け渡されるため適度な弾性を有する材料によって構成されている。また、第二帯体１８の長さを調整することによって、左ベルト１５の長さを担ぐ者の体型に適合させることができる。第一帯体１７の上端には、子守帯本体３１の左上端に設けられたバックル部材と連結する雄バックル１９が、設けられている。また、第二帯体１８の下端に、子守帯本体３１の下端部に設けられたバックル部材と連結する雄バックル２０が、設けられている。
【００３０】
左ベルト１５と同様に、右ベルト１６は、上方に位置し担ぐ者の右肩に掛け渡される第一帯体２１と、第一帯体２１の下端部に長さ調整可能に連結されている第二帯体２２とから構成されている。第一帯体２１は、使用時において、担ぐ者の右肩に掛け渡されるため適度な弾性を有する材料によって構成されている。また、第二帯体２２の長さを調整することによって、右ベルト１６の長さを担ぐ者の体型に適合させることができる。第一帯体２１の上端には、子守帯本体３１の右上端に設けられたバックル部材と連結する雄バックル２３が、設けられている。また、第二帯体２２の下端に、子守帯本体３１の下端部に設けられたバックル部材と連結する雄バックル２４が、設けられている。
【００３１】
肩ベルト１２は、左ベルト１５と右ベルト１６との間の開き幅が肩ベルト１２の下端部において所定の幅（図２中のＬ）となるように保持するベルト保持材２５を有する。ベルト保持材２５は、雄バックル２０、２４の直上に位置しており肩ベルト１２の分岐下端部に相当する。ベルト保持材２５の左側部は第二帯体１８の下端部に縫着され、ベルト保持材２５の右側部は第二帯体２２の下端部に縫着されている。
【００３２】
このように左ベルト１５と右ベルト１６との間に所定の幅を持たせることによって、子守帯１１の使用時において、乳幼児の体重による負荷が、保持される乳幼児の足股部における微小領域に集中することを防ぐことができる。したがって、使用時における乳幼児の快適性を向上させることができる。また、子守帯１１を縦抱きの形態で使用している場合において、保持された乳幼児が左右に揺れることによって生じる子守帯本体３１の左右方向への動きを効果的に抑えることができる。
【００３３】
なお、本実施形態のように、ベルト保持材２５によって、左ベルト１５と右ベルト１６との間の距離だけではなく、左ベルト１５と右ベルト１６との間に所定の角度（図２中のθ）を形成するように左ベルト１５および右ベルト１６を保持させてもよい。左ベルト１５と右ベルト１６との間の角度を適切に設定することによって、使用時において、担ぐ者の肩に係る負荷および負荷の角度を最適化することができる。したがって、担ぐ者の疲労感を低減させることができる。
【００３４】
また、本実施形態においては、ベルト保持材２５を第二帯体１８、２２の下端部に縫着していたが、これに限らず、ベルト保持材２５が、第二帯体１８、２２に対して相対的に移動することができるように取り付けられていてもよい。
【００３５】
肩ベルト１２は、上方において、左ベルト１５と右ベルト１６との間の距離を適宜に保持するためのブリッジベルト２６を有する。ブリッジベルト２６の左端は、左ベルト１５の延在方向に対してスライド可能となるように、左ベルト１５に取り付けられている。また、ブリッジベルト２６の右端は、右ベルト１６の延在方向に対してスライド可能となるように、右ベルト１６に取り付けられている。
【００３６】
ブリッジベルト２６の詳細な構成について、図３を用いて説明する。図３は、図２に示したブリッジベルト２６の連結を解除した状態を示す拡大図である。ブリッジベルト２６は、一対となる雄係合部材２７および雌係合部材２８と、雄係合部材２７と左ベルト１５との間に位置する帯体２９と、雌係合部材２８と右ベルト１６との間に位置する帯体３０とから構成されている。
【００３７】
帯体２９の左端は、第一帯体１７の延在方向に対してスライド移動が可能となるように、第一帯体１７に取り付けられている。具体的には、第一帯体１７の裏面には、当該第一帯体１７に沿って副ベルト（図示せず）が取り付けられている。この副ベルトに無底の封筒形状のスリーブが挿通される。封筒形状のスリーブは副ベルトに沿って摺動可能であり、帯体２９の左端と結合する。帯体２９の右端には、雄係合部材２７が取り付けられている。帯体２９は、長さを調整することが可能となっている。
【００３８】
帯体３０の右端は、前述の帯体２９と同様の構成により、第一帯体２１の延在方向に対してスライド移動が可能となるように、第一帯体２１に取り付けられている。帯体３０の左端には、雌係合部材２８が取り付けられている。雄係合部材２７と雌係合部材２８とを連結させることによって、第一帯体１７および第一帯体２１との間の距離を適宜に保持することができる。
【００３９】
これにより、子守帯１１の使用時において、左ベルト１５と右ベルト１６の間の距離が広がり過ぎて肩ベルト１２が母親の肩から摺り落ちることを防止することができる。さらに、担ぐ者が両肩から子守帯１１を降ろす場合において、片手による簡単な操作でブリッジベルト２６の連結を解除することができる。これについて以下に簡単に説明する。前述のように、ブリッジベルト２６は、第一帯体１７および第一帯体２１の延在方向に対してスライド移動が可能である。すなわち、担ぐ者が、ブリッジベルト２６より下方において、左ベルト１５と右ベルト１６との間の距離を広げると、ブリッジベルト２６は、自動的に上方へとスライド移動する。したがって、両肩から子守帯１１を降ろす場合に、左ベルト１５と右ベルト１６との間の距離を広げてブリッジベルト２６を担ぐ者の首周辺にまで押し上げることによって、担ぐ者は、片手で容易にブリッジベルト２６の連結を解除することができる。
【００４０】
次に、図４〜図９を用いて、本発明の一実施形態に係る子守帯１１に用いられる子守帯本体３１について説明する。
【００４１】
図４は、本発明の一実施形態に係る子守帯１１に用いられる子守帯本体３１およびヘッドサポート部１４を示し、図１に示す子守帯１１から、肩ベルト１２を取り外した状態を前面から見た外観図である。図５は、本発明の一実施形態に係る子守帯本体３１を前面側から見た外観図である。図６は、図１に示す子守帯本体３１を後面側から見た外観図である。図７は、図５中に示した本体右腕部３６を矢印VIIの方向から見て拡大した拡大斜視図である。図８は、図６中に示した雌バックル５２、５３を矢印VIIIの方向から見て拡大した拡大図である。図９は、図５に示す子守帯本体３１の使用時における状態を示す外観図である。
【００４２】
図４〜図９を参照して、子守帯本体３１は、保持する乳幼児の背を背後から支持する背当て部３２と、背当て部３２の下方に連なり乳幼児の足股部を支持する股当て部３３と、股当て部３３の下方に連なり乳幼児の下腹部を前方から支持する前当て部３４とを有する。子守帯本体３１は、布製部材によって構成されている。この布製部材は、クッション材料を内包していてもよい。また、子守帯本体３１は、広がりを持った薄い形状を有し、自在に屈曲することができる。
【００４３】
背当て部３２の左上側部には、肩ベルト１２に設けられた雄バックル１９と連結する本体左腕部３５が、左上方へ向けて突出するように設けられている。また、背当て部３２の右上側部には、肩ベルト１２に設けられた雄バックル２３と連結する本体右腕部３６が、右上方へ向けて突出するように設けられている。
【００４４】
ここで、本体右腕部３６について詳しく説明する。図７に示すように、本体右腕部３６は、本体右腕部３６の前面側に位置する右腕部前部４０と、本体右腕部３６の後面側に位置する右腕部後部４１とを含む。右腕部前部４０および右腕部後部４１は、ともに下端部において背当て部３２の右上側部に連結している。右腕部前部４０および右腕部後部４１は、前述の右上側部から右上方へ向けてそれぞれ突出し、本体右腕部３６の上端部において、前後に分割された構成となっている。
【００４５】
右腕部前部４０および右腕部後部４１における対向する互いの両側部同士が、下端部から上方の所定の位置までの領域に亘って、縫製加工により形成された縫部４２、５９によって連結されている。これにより、縫部４２、５９が設けられている領域においては、右腕部前部４０と、右腕部後部４１と、右腕部前部４０および右腕部後部４１の両側に設けられた縫部４２、５９とによって囲まれた領域に袋状の空間４３が形成される。
【００４６】
この袋状の空間４３の内部に、肩ベルト１２に設けられた雄バックル２３と連結する雌バックル４４が、略全体を覆われるように内設されている。また、右腕部前部４０および右腕部後部４１の上部中央には、互いに係合し一対となる留め具４５、４６が、設けられている。したがって、肩ベルト１２が子守帯本体３１から取り外されている状態においては、留め具４５、４６を互いに連結することによって、雌バックル４４を外部から完全に覆い隠すことが可能となる。右腕部前部４０の前面側の留め具４５の下方において、ヘッドサポート部１４を取り付けるための留め具７４が取り付けられている。
【００４７】
前述のように、背当て部３２の左上側部には、本体左腕部３５が、設けられている。本体左腕部３５も、本体右腕部３６と同様に、本体左腕部３５の前面側に位置する左腕部前部４７と、本体左腕部３５の後面側に位置する左腕部後部４８とを有し、これらと縫部６０、６１とによって囲まれた領域に袋状の空間(図示せず)が、形成されている。そして、その空間の内部に、肩ベルト１２に設けられた雄バックル１９と連結する雌バックル４９が、内設されている。また、左腕部前部４７および左腕部後部４８の上部中央に設けられた留め具５０、５１を互いに連結すると、図５〜図６に示すように、雌バックル４９が、外部から完全に覆い隠される。左腕部前部４７の前面側の留め具５０の下方において、ヘッドサポート部１４を取り付けるための留め具７３が取り付けられている。
【００４８】
背当て部３２の上下方向中央部には、バックル帯３７、３８が、長さ調整可能に取り付けられている。バックル帯３７は、背当て部３２の中央部左端から、左方向へ向けて略水平に延びるように背当て部３２に取り付けられている。バックル帯３７の左端には、雄バックル３９が取り付けられている。バックル帯３７の長さを調整することによって、バックル帯３７が取り付けられている背当て部３２と、雄バックル３９との間の距離を調整することができる。
【００４９】
これと同様に、バックル帯３８が、背当て部３２の上下方向中央部に、長さ調整可能に取り付けられている。バックル帯３８は、背当て部３２の中央部右端から、右方向へ向けて略水平に延びるように背当て部３２に取り付けられている。バックル帯３８の右端には、雄バックル５８が取り付けられている。バックル帯３８の長さを調整することによって、背当て部３２と、雄バックル５８との間の距離を調整することができる。
【００５０】
さらに、背当て部３２は、後面の上部中央において、ヘッドサポート部１４を取り付けるためのポケット（図示せず）を有する。また、ポケットの内部において、面ファスナ（図示せず）が、内設されている。これらの構成については、後述する。
【００５１】
股当て部３３は、適度な弾性を有する芯材（図示せず）を内部に含む。この芯材によって、使用時に乳幼児の足股にかかる負荷を軽減させ、乳幼児の快適性を向上させることができる。
【００５２】
図６および図８に示すように、前当て部３４の上部において、肩ベルト１２に設けられた雄バックル２０、２４と連結する雌バックル５２、５３と、雌バックル５２、５３を覆うバックルカバー５４が、設けられている。雌バックル５２、５３は、雄バックル挿入口の開口方向が下方となるように前当て部３４の上部に取り付けられている。雌バックル５２、５３は、雄バックル２０、２４が外されている場合、バックルカバー５４によって外部から完全に覆い隠される。
【００５３】
さらに、前当て部３４は、前当て部３４の中央部に設けられた第一挿通部帯７２と、前当て部３４の中央領域に内在する適度な弾性を備える芯材５５とを有する。第一挿通部帯７２は、略水平となるように両端部が前当て部３４に縫着されている。ここで、第一挿通部帯７２と前当て部３４との間に形成された隙間を第一挿通部とする。なお、第一挿通部および芯材５５については後述する。
【００５４】
前当て部３４の下部には、前述の雄バックル３９と連結する雌バックル５６と、前述の雄バックル５８と連結する雌バックル５７とが、取り付けられている。雌バックル５６は、雄バックル３９が挿入される挿入口の開口方向が左方向へ向けて略水平となるように、前当て部３４に取り付けられている。対して、雌バックル５７は、挿入口の開口方向が、右方向へ向けて略水平となるように、前当て部３４に取り付けられている。
【００５５】
次に、図５に示した状態の子守帯本体３１を、図９に示す使用時の状態とする方法について説明する。まず担ぐ者は、図５に示す状態の子守帯本体３１において、前当て部３４を前面側へ向けて折り返す。そして、雄バックル３９と雌バックル５６を連結する。同様に、雄バックル５８と雌バックル５７を連結する。このようにして、背当て部３２と、股当て部３３と、前当て部３４とに囲まれた領域に、乳幼児を収容するための空間を形成し、子守帯本体３１は使用時の状態となる。このような構成とすることにより、子守帯１１を用いて乳幼児を担ぐ場合、乳幼児の下腹部全体を子守帯本体３１によって包み込み、乳幼児を保持することができる。したがって、使用時において、乳幼児を保持する安定性を増加させ、且つ保持される乳幼児の快適性を向上させることができる。さらに、バックル帯３７、３８の長さを調整することによって、乳幼児の体型に合わせて容易に収容空間のサイズを変更することができる。
【００５６】
次に、図１０を用いて本発明の一実施形態に係る子守帯１１に用いられるヘッドサポート部１４について説明する。図１０は、本発明の一実施形態に係るヘッドサポート部１４を前面側から見た外観図である。
【００５７】
ヘッドサポート部１４は、使用時に乳幼児の頭部を覆う頭部保護パッド６５と、頭部保護パッド６５の下方に連結し、乳幼児の背を背後から支持する背中保持部材６６とから構成されている。頭部保護パッド６５の両側端部には、それぞれ円環部６７、６８が設けられている。円環部６７の前面側中央部には、子守帯本体３１に設けられた留め具７４と係合する留め具７６が、取り付けられている。ここで、留め具７６は、留め具７６の係合部が円環部６７の内周側に突出するように円環部６７に取り付けられる。また、円環部６８の前面側中央部には、子守帯本体３１に設けられた留め具７３と係合する留め具７５が、留め具７６と同様に取り付けられている。
【００５８】
背中保持部材６６は、適度な弾性を有する芯材（図示せず）を内部に含む。これにより、使用時において、乳幼児を保持する場合の安定性や、保持される乳幼児の快適性を向上させることができる。また、背中保持部材６６の前面側における下方中央部には、面ファスナ７１が設けられている。
【００５９】
次に、図５〜図１０を用いて、ヘッドサポート部１４を子守帯本体３１に取り付ける方法について説明する。まず担ぐ者は、ヘッドサポート部１４の背中保持部材６６の下端部を、背当て部３２の後面の上部中央に設けられたポケットへ挿入する。そして、背中保持部材６６をポケットの奥まで押し込み、背当て部３２のポケット内に設けられた面ファスナと、背中保持部材６６に設けられた面ファスナ７１とを連結する。次いで、本体左腕部３５を円環部６８に挿通し、本体左腕部３５に設けられた留め具７３と、円環部６８に設けられた留め具７５とを連結する。同様に、本体右腕部３６を円環部６７に挿通し、本体右腕部３６に設けられた留め具７４と、円環部６７に設けられた留め具７６とを連結する。この作業によって、子守帯１１は、図４に示した状態となる。ここで、留め具７３、７４と、留め具７５、７６を連結することによって、図４に示すように、ヘッドサポート部１４と、子守帯本体３１との間に空間が形成される。この空間を、それぞれ第二挿通部７７および第三挿通部７８とする。第二挿通部７７および第三挿通部７８については後述する。
【００６０】
このように、担ぐ者は、簡単な操作によってヘッドサポート部１４を子守帯本体３１に取り付けることができる。したがって、首が座らない時期の乳幼児に必要であるヘッドサポート部１４を、首が座りヘッドサポート部１４が必要でなくなった場合に簡単な作業によって取り外すことができる。すなわち、子守帯の形態変化を容易に行うことが可能となる。また、このようにヘッドサポート部１４を容易に着脱させることが可能であることから、子守帯を用いて乳幼児を縦方向に保持する縦抱き形態と、乳幼児を横にして保持する横抱き形態に関しても、容易に形態変化させることが可能となる。
【００６１】
次に、図１〜図９を用いて、図４に示した状態の子守帯に肩ベルト１２を取り付ける方法について説明する。まず担ぐ者は、左ベルト１５に設けられた雄バックル１９を、子守帯本体３１の本体左腕部３５に設けられた雌バックル４９に連結する。次いで、右ベルト１６に設けられた雄バックル２３を、子守帯本体３１の本体右腕部３６に設けられた雌バックル４４に連結する。そして、肩ベルト１２の下端に相互が結合するように取り付けられている雄バックル２０、２４を、子守帯本体３１の前当て部３４に設けられた雌バックル５２、５３にそれぞれ連結する。このような容易な作業によって、子守帯本体３１に肩ベルト１２を装着することができる。したがって、担ぐ者は、子守帯本体３１に肩ベルト１２を装着する作業を容易に理解することができ、且つ作業を迅速に行うことができる。
【００６２】
また、本実施形態に係る子守帯１１においては、雄バックル２０、２４が、肩ベルト１２の下端に、ベルト保持材２５によって相互が結合するように取り付けられている。したがって、子守帯本体３１に肩ベルト１２を取り付ける作業にあたり、担ぐ者は、バックル部材を個別に手繰り寄せて連結する必要がないため、雄バックル２０、２４をほぼ同時に雌バックル５２、５３に連結することが可能である。すなわち、取り付け作業を容易且つ迅速に行うことが可能である。
【００６３】
図１１に本実施形態に係る子守帯１１に乳幼児を包んだ状態を示す。図１〜図１０を用いて述べたように、本実施形態に係る子守帯１１は、図１１に示す状態とするまでに至る作業を容易とするため、担ぐ者は、作業を迅速に行うことができる。
【００６４】
また、本実施形態に係る子守帯１１において、子守帯本体３１と肩ベルト１２が、子守帯本体３１に設けられた雄バックル２０、２４と、肩ベルト１２の下端に設けられた雌バックル５２、５３によって、保持される乳幼児の足股部において二重に連結されている。これにより、雄バックル２０、２４のうちの一方の連結が誤動作によって解除された場合、または破断した場合においても、残る他方の連結によって乳幼児が脱落することを防ぐことができる。
【００６５】
なお、本実施形態においては、前述のように、保持される乳幼児の足股部において肩ベルト１２と子守帯本体３１とを二重に連結させている場合について説明したが、これに限らず、一つの連結または二つ以上の連結であってもよい。
【００６６】
また、本実施形態に係る子守帯１１においては、肩ベルト１２に取り付けられたバックル部材は、雄バックル１９、２０、２３、２４であり、全て雄部材で構成されている。対して、これらのバックルと連結する子守帯本体３１に取り付けられたバックル部材は、雌バックル４４、４９、５２、５３であり、全て雌部材で構成されている。このように構成することによって、肩ベルト１２を子守帯本体３１に取り付ける場合において、取り付け方法を統一させることができる。したがって、肩ベルト１２を子守帯本体３１に取り付ける作業をさらに容易とすることができる。
【００６７】
また、連結して一対となる雄バックル１９および雌バックル４９をある特定の色（例えば赤色）で構成し、雄バックル２３および雌バックル４４を他の色（例えば青色）で構成し、雄バックル２０、２４および雌バックル５２、５３をさらに他の色（例えば黄色）で構成してもよい。これにより、担ぐ者が、互いに連結して一対とするべきバックル部材を色によって即座に識別することができる。また、連結して一対となるバックル部材にそれぞれ標識を付し、担ぐ者が、これら一対となるバックル部材を標識によって識別することができるようにしてもよい。これにより、肩ベルト１２を子守帯本体３１に取り付ける作業をさらに容易とすることができる。
【００６８】
次に、図１〜図１２を用いて、本発明の一実施形態に係る子守帯１１を乳母車８０に装着する場合について説明する。図１２は、本発明の一実施形態に係る子守帯１１を乳母車８０に装着した状態を示す外観図である。図１〜図１２を参照して、本実施形態に係る子守帯１１を乳母車８０に装着する場合、担ぐ者は、まず図１１に示すように乳幼児を包んだ状態の子守帯１１を乳母車８０に設置し、肩ベルト１２を取り外す。その時に、子守帯本体３１の本体右腕部３６に取り付けられている留め具４５、４６を互いに連結し、雌バックル４４を外部から完全に覆い隠す。同様に、子守帯本体３１の本体左腕部３５に取り付けられている留め具５０、５１を互いに連結し、雌バックル４９を外部から完全に覆い隠す。さらに、前当て部３４に取り付けられている雌バックル５２、５３をバックルカバー５４の中に入れる。
【００６９】
次に、乳母車８０の左拘束ベルト６３を第二挿通部７７に通し、乳幼児の腹部付近まで引き延ばす。同様にして、乳母車８０の右拘束ベルト６４を第三挿通部７８に通し、乳幼児の腹部付近まで引き延ばす。そして、乳母車８０の足股拘束ベルト７９を、第一挿通部帯７２と前当て部３４との間に形成された第一挿通部に通し、乳幼児の腹部付近まで引き延ばす。最後に、乳幼児の腹部付近上において乳母車８０の各拘束ベルトを連結させ、図１２に示す状態となる。
【００７０】
このように、本実施形態に係る子守帯１１においては、保持される乳幼児の下腹部を支える前当て部３４に、乳母車８０に位置決めするための拘束ベルトを挿通させる第一挿通部が、設けられている。
【００７１】
これにより、担ぐ者は、乳幼児を子守帯本体３１に保持した状態で、子守帯本体３１を乳母車８０に取り付けることができる。また、子守帯本体３１を乳母車８０に取り付ける場合において、担ぐ者は、乳幼児の下腹部の位置に設けられた第一挿通部に、足股拘束ベルト７９を挿通するだけでよく、他の連結部材の係合または解除といった作業を必要としない。したがって、乳母車８０への取り付け作業が容易である。さらに、第一挿通部に挿通された足股拘束ベルト７９によって、子守帯本体３１が乳母車８０に確実に拘束されるため、子守帯本体３１に保持された乳幼児の下半身の動きを効果的に抑えることができる。したがって、乳幼児をより安定して乳母車８０に拘束することが可能となる。
【００７２】
また、本実施形態に係る子守帯１１においては、前述のように、第一挿通部が、第一挿通部帯７２と前当て部３４との間の隙間によって形成されている。これにより、乳母車８０の足股拘束ベルト７９を第一挿通部に挿通させる作業をより理解し易く且つ容易とすることができる。また、第一挿通部を帯によって構成することによって、子守帯１１をより低コストで製造することができる。
【００７３】
また、本実施形態に係る子守帯１１において、第二挿通部７７および第三挿通部７８は、ヘッドサポート部１４と子守帯本体３１との間の空間を利用することによって構成されている。これにより、子守帯本体３１を、第一〜第三挿通部を介して乳母車８０へ拘束することができるため、乳幼児をさらに安定して乳母車８０に拘束することが可能となる。また、他の連結部材の係合または解除といった作業が不必要であるため、容易に子守帯本体３１を乳母車８０へ取り付けることが可能である。さらに、乳母車８０への取り付けのための連結部材を別途必要としないため、製造コストを削減することができる。
【００７４】
また、本実施形態に係る子守帯本体３１は、前述のように、前当て部３４の中央領域に内在する適度な弾性を備える芯材５５を有する。この芯材５５によって、担ぐ者が子守帯１１を乳母車８０へ取り付ける作業をしているときに誤って乳幼児の下腹部に圧迫を加えた場合に、その力を緩和させる効果がある。さらに、芯材５５は、子守帯１１が乳母車８０へ取り付けられた後において、乳母車８０の足股拘束ベルト７９が乳幼児の足股部に与える負荷を緩和させる効果も有する。
【００７５】
また、本実施形態に係る子守帯１１を乳母車８０に装着した場合、子守帯本体３１に取り付けられているバックル部材のうち、肩ベルト１２と連結するバックル部材（雌バックル４４、４９、５２、５３）は、全て外部から覆い隠されている。これにより、乳母車８０に収容された乳幼児が、子守帯本体３１に取り付けられたバックル部材によって怪我をすることを防ぐことができる。さらに、この構成によって我が国の幼児運搬装置（乳母車）に関する規格を満足できることから、本実施形態に係る子守帯１１は、乳母車に適用可能な子守帯として高い利便性を備える。
【００７６】
次に、本発明の他の実施形態に係る子守帯８１について、図１３〜図１５を用いて説明する。図１３は、本発明の他の実施形態に係る子守帯８１を前面側から見た外観図である。図１４（ａ）は、本発明の他の実施形態に係る子守帯８１に用いられる肩ベルト８２を前面側からみた外観図である。図１４（ｂ）は、図１４（ａ）に示す肩ベルトを後面側からみて一部を拡大した拡大図である。図１５は、本発明の他の実施形態に係る子守帯８１の使用状態を示す後方斜視図である。なお、子守帯８１における肩ベルト８２以外の構成は、図４〜１０に示したものと同様であるため、詳しい説明は省略する。
【００７７】
図１３を参照して、子守帯８１は、乳幼児を担ぐ者の両肩にそれぞれ掛け渡される肩ベルト８２と、前述の子守帯本体３１およびヘッドサポート部１４とを備える。肩ベルト８２は、子守帯本体３１の左上端および右上端において、それぞれ分離可能に連結されている。また、肩ベルト８２は、子守帯本体３１の下端部において、分離可能に連結されている。
【００７８】
図１４（ａ）を参照して、肩ベルト８２は、左右一対のベルトであって、下端から上方に向かって分岐する。肩ベルト８２は、下端から右上方へ向けて延び、中央領域で左側へと屈曲し左上端まで延びる第一肩ベルト８３と、下端から左上方へ向けて延び、中央領域で右側へと屈曲し右上端まで延びる第二肩ベルト８４とを有する。第一肩ベルト８３および第二肩ベルト８４は、それぞれの延在方向中央領域において、互いに交差している。
【００７９】
第一肩ベルト８３は、上方に位置し担ぐ者の左肩に掛け渡される第一帯体８５と、第一帯体８５の下端部に長さ調整可能に連結されている第二帯体８６とから構成されている。第一帯体８５は、使用時において、担ぐ者の左肩に掛け渡されるため適度な弾性を有する材料によって構成されている。また、第二帯体８６の長さを調整することによって、第一肩ベルト８３の長さを担ぐ者の体型に適合させることができる。第一帯体８５の上端には、子守帯本体３１の本体左腕部３５に設けられた雌バックル４９と連結する雄バックル８７が、設けられている。また、第二帯体８６の下端に、子守帯本体３１の前当て部３４に取り付けられた雌バックル５３と連結する雄バックル８８が、設けられている。
【００８０】
第一肩ベルト８３と同様に、第二肩ベルト８４は、上方に位置し担ぐ者の右肩に掛け渡される第一帯体８９と、第一帯体８９の下端部に長さ調整可能に連結されている第二帯体９０とから構成されている。第一帯体８９は、使用時において、担ぐ者の右肩に掛け渡されるため適度な弾性を有する材料によって構成されている。また、第二帯体９０の長さを調整することによって、第二肩ベルト８４の長さを担ぐ者の体型に適合させることができる。第一帯体８９の上端には、子守帯本体３１の本体右腕部３６に設けられた雌バックル４４と連結する雄バックル９１が、設けられている。また、第二帯体９０の下端に、子守帯本体３１の前当て部３４に取り付けられた雌バックル５２と連結する雄バックル９２が、設けられている。
【００８１】
肩ベルト８２は、第一肩ベルト８３と第二肩ベルト８４との間の開き幅が肩ベルト８２の下端部において所定の幅となるように保持するベルト保持材９３を有する。なお、本実施形態においては、ベルト保持材９３は、雄バックル８８、９２の上方に位置し、第二帯体８６、９０に対して相対移動可能に取り付けられている。そして、第一肩ベルト８３および第二肩ベルト８４の下端部において、第一肩ベルト８３および第二肩ベルト８４の長さを調整することが可能な構成となっているため、担ぐ者は、子守帯８１を装着したまま肩ベルト８２の長さを担ぐ者の体型に適合するように調整することができる。
【００８２】
このように第一肩ベルト８３と第二肩ベルト８４との間に所定の幅を持たせることによって、子守帯８１の使用時において、乳幼児の体重による負荷が、保持される乳幼児の足股部における微小領域に集中することを防ぐことができる。したがって、使用時における乳幼児の快適性を向上させることができる。また、子守帯８１を縦抱きの形態で使用している場合において、保持された乳幼児が左右に揺れることによって生じる子守帯本体３１の左右方向への動きを効果的に抑えることができる。
【００８３】
本実施形態に係る子守帯８１においては、上記した実施形態と同様に、担ぐ者は、容易な作業によって子守帯本体３１へ肩ベルト８２を着脱させることができる。すなわち、子守帯本体３１への肩ベルト１２の着脱を行う場合、担ぐ者は、肩ベルト８２の左右上端に取り付けられた雄バックル８７、９１と、肩ベルト８２の下端に取り付けられた雄バックル９２、８８の連結／連結解除の操作を行うだけでよい。このような容易な作業によって子守帯本体３１に肩ベルト８２を着脱させることができるため、担ぐ者は、作業を容易に理解することができ、且つ作業を迅速に行うことができる。
【００８４】
また、本実施形態に係る子守帯８１においては、雄バックル９２、８８が、肩ベルト８２の下端に、ベルト保持材９３によって相互が結合するように取り付けられている。したがって、子守帯本体３１に肩ベルト８２を取り付ける作業にあたり、担ぐ者は、バックル部材を個別に手繰り寄せて連結する必要がないため、雄バックル９２、８８をほぼ同時に雌バックル５２、５３に連結することが可能である。すなわち、取り付け作業を容易且つ迅速に行うことが可能である。
【００８５】
本実施形態においては、肩ベルト８２は、第一肩ベルト８３および第二肩ベルト８４の延在方向中央領域において交差し、且つ交差箇所で相対回動可能に連結されている。具体的には、図１４（ａ）および図１４（ｂ）を参照して、第一帯体８５は、延在方向中央領域の後面側に取り付けられた連結帯体８５ａをさらに含む。連結帯体８５ａは、両端部が第一帯体８５の後面に縫着されている。第一帯体８９は、第一帯体８５の後面と連結帯体８５ａとの間に形成される空間に挿通されている。この構成によって、第一肩ベルト８３および第二肩ベルト８４は、互いに連結されている。したがって、第二肩ベルト８４は、第一肩ベルト８３に対して相対摺動および相対回動することが可能である。
【００８６】
なお、この実施形態においては、第一帯体８５の後面に取り付けられた連結帯体８５ａによって、第一肩ベルト８３と第二肩ベルト８４とが連結された場合について述べたが、これに限らず、第一帯体８９の前面に連結帯体を取り付け、当該連結帯体に第一帯体８５を挿通させることによって第一肩ベルト８３と第二肩ベルト８４とを連結してもよい。また、第一肩ベルト８３と第二肩ベルト８４とが、リベット等によって相対回動可能に連結される構成であってもよい。
【００８７】
この構成により、前述のブリッジベルト２６といった別部材を用いずに、使用時において肩ベルト８２が担ぐ者の肩から摺り落ちることを防止することができる。また、肩ベルト８２の下端のみならず、中央領域の交差部においても、第一肩ベルト８３および第二肩ベルト８４が掛り合うことによってある程度連動するため、取り扱いが便利である。さらに、担ぐ者の体型や動きに対して適合するように、第一肩ベルト８３および第二肩ベルト８４が、交差部で相対的に回動するために、肩ベルト８２がより柔軟に変形することが可能である。
【００８８】
次に、本発明のさらに他の実施形態に係る子守帯１１１について、図１６〜図１９を用いて説明する。図１６は、本発明のさらに他の実施形態に係る子守帯１１１を前面側から見た外観図である。図１７は、本発明のさらに他の実施形態に係る子守帯１１１に用いられる肩ベルト１１２を前面側からみた外観図である。図１８は、本発明のさらに他の実施形態に係る子守帯１１１の使用状態を示す背面斜視図である。図１９は、図１８に示す状態の子守帯１１１から子守帯本体３１およびヘッドサポート部１４に包まれた乳幼児を取り外した状態を示す後方斜視図である。なお、子守帯１１１における肩ベルト１１２以外の構成は、図４〜１０に示したものと同様であるため、詳しい説明は省略する。
【００８９】
図１６を参照して、子守帯１１１は、乳幼児を担ぐ者の両肩にそれぞれ掛け渡される肩ベルト１１２と、前述の子守帯本体３１およびヘッドサポート部１４とを備える。肩ベルト１１２は、子守帯本体３１の左上端および右上端において、それぞれ分離可能に連結されている。また、肩ベルト１１２は、子守帯本体３１の下端部において、分離可能に連結されている。
【００９０】
図１７を参照して、肩ベルト１１２は、下端から上方に向かって左右に分岐している。肩ベルト１１２は、下端から右上方へ向けて延び、左側へと屈曲して左上端まで延びる第一肩ベルト１１３と、下端から左上方へ向けて延び、右側へと屈曲して右上端まで延びる第二肩ベルト１１４とを有する。第一肩ベルト１１３および第二肩ベルト１１４は、それぞれの延在方向中央領域において、互いに交差している。この交差箇所を図１７中の１２４にて示す。
【００９１】
第一肩ベルト１１３は、上方に位置し担ぐ者の左肩に掛け渡される第一帯体１１５と、第一帯体１１５の下端部に長さ調整可能に連結されている第二帯体１１６とから構成されている。第二帯体１１６の長さを調整することによって、第一肩ベルト１１３の長さを担ぐ者の体型に適合させることができる。第一帯体１１５の上端には、子守帯本体３１の本体左腕部３５に設けられた雌バックル４９と連結する雄バックル１１７が、設けられている。また、第二帯体１１６の下端には、子守帯本体３１の前当て部３４に取り付けられた雌バックル５３と連結する雄バックル１１８が、設けられている。
【００９２】
第一肩ベルト１１３と同様に、第二肩ベルト１１４は、上方に位置し担ぐ者の右肩に掛け渡される第一帯体１１９と、第一帯体１１９の下端部に長さ調整可能に連結されている第二帯体１２０とから構成されている。第二帯体１２０の長さを調整することによって、第二肩ベルト１１４の長さを担ぐ者の体型に適合させることができる。第一帯体１１９の上端には、子守帯本体３１の本体右腕部３６に設けられた雌バックル４４と連結する雄バックル１２１が、設けられている。また、第二帯体１２０の下端に、子守帯本体３１の前当て部３４に取り付けられた雌バックル５２と連結する雄バックル１２２が、設けられている。
【００９３】
肩ベルト１１２は、第一肩ベルト１１３と第二肩ベルト１１４との間の開き幅が肩ベルト１１２の下端部において所定の幅となるように保持するベルト保持材１２３を有する。ベルト保持材１２３は、雄バックル１１８、１２２の直上に位置しており、肩ベルト１１２の分岐下端部に相当する。ベルト保持材１２３の左側部は、第二帯体１２０の下端部に縫着され、ベルト保持材１２３の右側部は、第二帯体１１６の下端部に縫着されている。
【００９４】
このように第一肩ベルト１１３と第二肩ベルト１１４との間に所定の幅を持たせることによって、子守帯１１１の使用時において、乳幼児の体重による負荷が、保持される乳幼児の足股部における微小領域に集中することを防ぐことができる。したがって、使用時における乳幼児の快適性を向上させることができる。また、子守帯１１１を縦抱きの形態で使用している場合において、保持された乳幼児が左右に揺れることによって生じる子守帯本体３１の左右方向への動きを効果的に抑えることができる。
【００９５】
肩ベルト１１２は、第一肩ベルト１１３と第二肩ベルト１１４との交差箇所１２４を含むように、第一肩ベルト１１３と第二肩ベルト１１４とを一体的に覆うＸ字状の肩ベルトカバー１２５をさらに有する。肩ベルトカバー１２５は、第一帯体１１５および第一帯体１１９の上端から下端までを覆うように一体的に形成されたＸ字状の布製部材によって構成されている。また、肩ベルトカバー１２５は、子守帯１１１の使用時において、担ぐ者の両肩に掛け渡されるため、適度な弾性を有する材料によって構成されている。
【００９６】
肩ベルト１１２は、交差箇所１２４の直上において、第一肩ベルト１１３と第二肩ベルト１１４との間の領域において左右方向に延在するように肩ベルト１１２に取り付けられた弾性帯体１２６をさらに有する。本実施形態においては、弾性帯体１２６は、左端が肩ベルトカバー１２５の左上部に縫着され、右端が肩ベルトカバー１２５の右上部に縫着されている。この弾性帯体１２６によって、交差箇所１２４における第一肩ベルトと第二肩ベルトとの間の交差角度θ２が適宜に規定される。また、肩ベルト１１２は、担ぐ者の左右の肩と当接する領域において、屈曲可能であって、担ぐ者の左右の肩の背部側から胸部側に沿ってＵ字状に保形することが可能な芯材（図示せず）をさらに有する。具体的には、当該芯材は、担ぐ者の左右の肩に掛け渡される肩ベルトカバー１２５の左上部および右上部の内部に内設されている。すなわち、肩ベルト１１２は、担ぐ者の左右の肩と当接する領域においては、肩ベルトカバー１２５に内設された上記芯材によって屈曲自在であり、且つ屈曲された後にその形状を保形することができる。なお、弾性帯体１２６および芯材の詳細については後述する。
【００９７】
本実施形態に係る子守帯１１１においては、前述した実施形態と同様に、担ぐ者は、容易な作業によって子守帯本体３１へ肩ベルト１１２を着脱させることができる。すなわち、子守帯本体３１への肩ベルト１１２の着脱を行う場合、担ぐ者は、肩ベルト１１２の左右上端に取り付けられた雄バックル１１７、１２１と、肩ベルト１１２の下端に取り付けられた雄バックル１１８、１２２の連結／連結解除の操作を行うだけでよい。このような容易な作業によって子守帯本体３１に肩ベルト１１２を着脱させることができるため、担ぐ者は、作業を容易に理解することができ、且つ作業を迅速に行うことができる。
【００９８】
また、本実施形態に係る子守帯１１１においては、雄バックル１１８、１２２が、肩ベルト１１２の下端に、ベルト保持材１２３によって相互が結合するように取り付けられている。したがって、子守帯本体３１に肩ベルト１１２を取り付ける作業にあたり、担ぐ者は、バックル部材を個別に手繰り寄せて連結する必要がないため、雄バックル１１８、１２２をほぼ同時に雌バックル５３、５２に連結することが可能である。すなわち、取り付け作業を容易且つ迅速に行うことが可能である。
【００９９】
また、本実施形態においては、上記のように、第一肩ベルト１１３と第二肩ベルト１１４とが、肩ベルトカバー１２５によって一体的に覆われている。この構成により、肩ベルト１１２は、下端のみならず担ぐ者の背部においても一体的に結合されるため、第一肩ベルト１１３と第二肩ベルト１１４とが、ともに連動することとなる。したがって、肩ベルト１１２を装着する場合において、第一肩ベルト１１３および第二肩ベルト１１４のいずれか一方を担ぐ者の肩まで引き上げると、他方も同時に担ぐ者の肩近辺にまで引き上げられることとなる。これにより、肩ベルト１１２を装着する作業が、容易となる。また、第一肩ベルト１１３および第二肩ベルト１１４のいずれか一方が、担ぐ者の肩から摺り落ちようとした場合においても、残る他方が肩に掛止されている限り、肩から完全に脱落することを防ぐことができる。
【０１００】
また、子守帯１１２を横抱きの形態として用いる場合においては、担ぐ者は、肩ベルト１１２を左右方向に圧縮するようにして束ね、束ねた肩ベルト１１２の交差箇所１２４付近の領域を首の背後に掛け渡す。そのときに、肩ベルトカバー１２５によって、担ぐ者の首が保護されるため、担ぐ者は、幼児を横抱きの形態で快適に保持することができる。
【０１０１】
また、本実施形態においては、上記のように、弾性帯体１２６が、交差箇所１２４の直上において左右方向に延在するように肩ベルト１１２に取り付けられている。この弾性帯体１２６によって、交差箇所１２４における第一肩ベルトと第二肩ベルトとの間の交差角度θ２が適宜に規定される。この構成について以下に説明する。
【０１０２】
弾性帯体１２６は、延在方向に伸縮可能な弾性体によって構成されている。たとえば弾性帯体１２６は、ゴム等の弾性材料によって構成されてもよい。すなわち、弾性帯体１２６は、延在方向に沿って引き延ばされると、その変位に応じて圧縮する方向へと弾性力を発生させる。本実施形態においては、弾性帯体１２６は、交差箇所１２４における第一肩ベルトと第二肩ベルトとの間の交差角度θ２に応じた圧縮力を生じさせる。すなわち、θ２が大きくなると、θ２を小さくする方向へ向けた圧縮力を生じさせることとなる。ここで、本実施形態に係る子守帯１１１の使用状態において、担ぐ者が肩ベルト１１２を装着すると、担ぐ者の体型に応じてθ２が大きくなる。すると、弾性帯体１２６によってθ２に応じた圧縮力が発生し、第一肩ベルト１１３および第二肩ベルト１１４が、担ぐ者の体型に適宜に適合することとなる。すなわち、肩ベルト１１２の装着性を向上させることができる。
【０１０３】
また、この実施形態においては、前述のように、肩ベルト１１２は、担ぐ者の左右の肩と当接する領域において、屈曲／保形することが可能な芯材をさらに有する。この構成により、使用状態の子守帯１１１から子守帯本体３１を取り外した場合において、肩ベルト１１２が、担ぐ者の肩から誤って摺り落ちることを防止することができる。これについて、図１８および図１９を用いて説明する。
【０１０４】
図１８および図１９を参照して、子守帯１１１の使用状態においては、第一肩ベルト１１３と第二肩ベルト１１４との交差箇所１２４は、担ぐ者の背部中央領域に位置している。第一肩ベルト１１３は、交差箇所１２４から、担ぐ者の背部の左上方へ向かって延び、担ぐ者の左肩において背部側から胸部側へ沿うようにＵ字状に屈曲されて掛け渡される。そして、第一肩ベルト１１３の端部に設けられた雄バックル１１７が、子守帯本体３１の本体左腕部３５に設けられた雌バックル４９と連結している。
【０１０５】
同様に、第二肩ベルト１１４は、交差箇所１２４から、担ぐ者の背部の右上方へ向かって延び、担ぐ者の右肩において背部側から胸部側へ向けて沿うようにＵ字状に屈曲されて掛け渡される。そして、第二肩ベルト１１４の端部に設けられた雄バックル１２１が、子守帯本体３１の本体右腕部３６に設けられた雌バックル４４と連結している。
【０１０６】
図１８に示す状態の子守帯１１１から、子守帯本体３１およびヘッドサポート部１４に包まれた乳幼児を取り外すと、図１９に示すように、第一肩ベルト１１３および第二肩ベルト１１４の端部に相当する雄バックル１１７、１２１が自由端となるため、肩ベルト１１２が、担ぐ者の肩から背面側へ向けて摺り落ち易くなる。ここで、本実施形態においては、肩ベルト１１２は、担ぐ者の左右の肩と当接する領域において、肩ベルトカバー１２５に内設された芯材によって屈曲／保形することができる。例えば、この材料は、形状保持性金属、形状保持性樹脂、形状記憶合金、形状記憶ポリマーといった形状保持性を有する材料の中から選択されてもよい。
【０１０７】
このような構成によって、肩ベルト１１２は、担ぐ者の左右の肩の背部から胸部に亘ってＵ字状に屈曲し、且つそのＵ字形状を保形することができる。したがって、子守帯１１１が図１９に示す状態となった後においても、Ｕ字状に保形された肩ベルト１１２が、担ぐ者の左右の肩に掛止されるため、肩ベルト１１２が担ぐ者の肩から容易に摺り落ちることを防ぐことができる。これにより、担ぐ者が肩ベルト１１２に乳幼児を包んだ子守帯本体３１を装着させる場合、または一時的に子守帯１１１から乳幼児を取り外し、再度乳幼児を抱き抱える場合等において、装着作業をより容易且つ迅速に行うことが可能となる。
【０１０８】
なお、肩ベルト１１２に内設されている芯材の材料に関して、形状記憶合金や形状記憶ポリマーに代表される特殊な形状記憶材料に限らず、任意の変形に対してある程度その形状を保形することが可能である材料であれば、如何なる材料を適用してもよい。また、変形／保形が可能である芯材を用いるのみならず、第一肩ベルト１１３および第二肩ベルト１１４に弾性部材等を張り渡すことによって、第一肩ベルト１１３および第二肩ベルト１１４をＵ字状に屈曲させる構成であってもよい。
【０１０９】
また、本実施形態においては、肩ベルトカバー１２５が、第一帯体１１５および第一帯体１１９の上端から下端までを覆う構成について述べたが、これに限らず、交差箇所１２４を含むように第一帯体１１５および第一帯体１１９の一部を覆う構成であってもよい。
【０１１０】
また、本実施形態においては、弾性帯体１２６が、肩ベルト１１２の交差箇所１２４の直上において、左右方向に延在するように肩ベルト１１２に取り付けられている場合について述べたが、これに限らず、弾性帯体１２６が、第一肩ベルト１１３および第二肩ベルト１１４の間の如何なる領域に取り付けられていてもよく、また、複数取り付けられてもよい。
【０１１１】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【０１１２】
本発明は、子守帯本体に肩ベルトを装着する作業をより容易とする子守帯を提供することから、子守帯に有利に利用される。
【符号の説明】
【０１１３】
１１，８１，１０１，１１１  子守帯、１２，８２，１０３，１１２  肩ベルト、１４  ヘッドサポート部、１５  左ベルト、１６  右ベルト、１７，２１，８５，８９，１１５，１１９  第一帯体、１８，２２，８６，９０，１１６，１２０  第二帯体、１９，２０，２３，２４，３９，５８，８７，８８，９１，９２，１０５，１１７，１１８，１２１，１２２  雄バックル、２５，９３，１２３  ベルト保持材、２６  ブリッジベルト、２７  雄係合部材、２８  雌係合部材、３１，１０２  子守帯本体、３２  背当て部、３３  股当て部、３４  前当て部、３５  本体左腕部、３６  本体右腕部、３７，３８  バックル帯、４０  右腕部前部、４１  右腕部後部、４２，５９，６０，６１  縫部、４３  空間、４４，４９，５２，５３，５６，５７，１０４  雌バックル、４５，４６，５０，５１，７３，７４，７５，７６，１０６，１０７  留め具、４７  左腕部前部、４８  左腕部後部、５４  バックルカバー、５５  芯材、６５  頭部保護パッド、６６  背中保持部材、６７，６８  円環部、７１  面ファスナ、７２  第一挿通部帯、７７  第二挿通部、７８  第三挿通部、６３  左拘束ベルト、６４  右拘束ベルト、７９  足股拘束ベルト、８０  乳母車、８３，１１３  第一肩ベルト、８４，１１４  第二肩ベルト、８５ａ  連結帯体、１２４  交差箇所、１２５  肩ベルトカバー、１２６  弾性帯体。
【図１】
0005467902.tif 000002
【図２】
0005467902.tif 000003
【図３】
0005467902.tif 000004
【図４】
0005467902.tif 000005
【図５】
0005467902.tif 000006
【図６】
0005467902.tif 000007
【図７】
0005467902.tif 000008
【図８】
0005467902.tif 000009
【図９】
0005467902.tif 000010
【図１０】
0005467902.tif 000011
【図１１】
0005467902.tif 000012
【図１２】
0005467902.tif 000013
【図１３】
0005467902.tif 000014
【図１４】
0005467902.tif 000015
【図１５】
0005467902.tif 000016
【図１６】
0005467902.tif 000017
【図１７】
0005467902.tif 000018
【図１８】
0005467902.tif 000019
【図１９】
0005467902.tif 000020
【図２０】
0005467902.tif 000021